(57)【要約】【課題】簡易な構成にもかかわらず簡易な操作で一定量の液体（検体）を採取する。【解決手段】スポイト１０は、一端に注出口１５を有し、他端に操作部１７を有したスポイト本体１１を備え、操作部１７に当該操作部１７の操作量を規制するためのベースプレート部を設け、ベースプレート部２０により操作部１７の操作量を規制して一定化することにより、ひいては、吸入する液体量を一定化する。【選択図】図１
2008002845.tif 000002
【特許請求の範囲】
【請求項１】
一端に注出口を有し、他端に操作部を有したスポイト本体を備え、
前記操作部に当該操作部の操作量を規制するための操作規制部を設けたことを特徴とするスポイト。
【請求項２】
請求項１記載のスポイトにおいて、
前記操作規制部は、前記操作部の押込方向に所定厚さを有し、前記押込方向に略垂直な操作規制面を備えていることを特徴とするスポイト。
【請求項３】
請求項１または請求項２記載のスポイトにおいて、
前記スポイト本体は、前記注出口側に吸込量範囲を示すための目盛部が設けられていることを特徴とするスポイト。
【請求項４】
請求項１ないし請求項３のいずれかに記載のスポイトにおいて、
前記操作部は、操作者の指の位置を所定位置とするための指位置規制部を備えていることを特徴とするスポイト。
【発明の詳細な説明】
【技術分野】
【０００１】
本発明は、スポイトに係り、特に血液、体液、尿などの検査対象の液体（検体）を所定量、採取するための使い捨て型のスポイトに関する。
【背景技術】
【０００２】
従来、血液、体液、尿などの検査においては、検体を所定量だけ採取し、試薬などを混合させて検査を行っていた。
この場合において、検体の採取には、衛生管理上のため、あるいは、雑菌、異物などの混入をなくし検査の信頼性を向上させるために使い捨てスポイトが用いられていた（例えば、特許文献１参照）。
使い捨てスポイトは、透明で弾性変形可能な樹脂でできており、操作部を押圧してつぶした状態で注出口を検体である液体中に差し込み、操作部の押圧力を弱めて元の形状に戻すことにより、スポイト内に検体としての液体を吸入するようにされていた。
【特許文献１】特開平０６−３４４９８号公報
【発明の開示】
【発明が解決しようとする課題】
【０００３】
しかしながら、上記従来の使い捨てスポイトは、操作部の押圧状態に応じて、液体の吸入量が大きく変化し、一定量（例えば、数十マイクロリットル程度）の液体を採取する用途には適していなかった。
そこで本発明の目的は、簡易な構成にもかかわらず簡易な操作で一定量の液体（検体）を容易に採取することが可能な使い捨てのスポイトを提供することにある。
【課題を解決するための手段】
【０００４】
上記課題を解決するため、スポイトは、一端に注出口を有し、他端に操作部を有したスポイト本体を備え、前記操作部に当該操作部の操作量を規制するための操作規制部を設けたことを特徴としている。
上記構成によれば、操作規制部は、操作部の操作量を規制することにより、ひいては、吸入する液体量を一定化することができる。
【０００５】
この場合において、前記操作規制部は、前記操作部の押込方向に所定厚さを有し、前記押込方向に略垂直な操作規制面を備えているようにしてもよい。
また、前記スポイト本体は、前記注出口側に吸込量範囲を示すための目盛部が設けられているようにしてもよい。
さらに、前記操作部は、操作者の指の位置を所定位置とするための指位置規制部を備えているようにしてもよい。
【発明の効果】
【０００６】
本発明によれば、簡易な操作で一定量の液体（検体）を容易に採取することができる。
【発明を実施するための最良の形態】
【０００７】
次に図面を参照して本発明の好適な実施の形態について説明する。
［１］第１実施形態
図１は、第１実施形態のスポイトの外観斜視図である。
図２は、第１実施形態のスポイトの正面図である。
図３は、第１実施形態のスポイトの側面図である。
第１実施形態のスポイト１０は、大別すると、検体としての液体を収納するスポイト本体１１と、スポイト１０の取り扱いを容易にするための把持部１２と、を備えている。
ここで、スポイト１０の材質としては、透明性、弾性および形状復元性のある材料が用いられ、例えば、ポリエチレン、ポリプロピレン、ポリエステルなどの各種樹脂が用いられる。
スポイト本体１１は、液体が導入されるととともに、採取した液体を注ぎ出すための注出口１５と、採取した液体を収納するための液体収納部１６と、液体を採取するためにオペレータが操作を行う操作部１７と、採取量範囲をオペレータに視認させるための目盛部１８と、を備えている。
【０００８】
把持部１２は、操作規制部として機能するベースプレート部２０と、オペレータが当該把持部１２をつまんだ際に滑らないようにするためにベースプレート部２０から複数突設された滑り止め部２１と、を備えている。
ベースプレート部２０は、スポイト本体１１の操作部１７に沿って設けられており、このベースプレート部２０の面２０Ａは、操作部の押込方向に略垂直な操作規制面として機能しており、オペレータが操作部１７を指などで押圧操作した場合であっても、所定状態以上には、操作部１７がつぶれないようになっている。また、ベースプレート部２０は、操作部１７の押込方向に所定厚さを有し、所定の固さを有している。この結果、スポイト本体１１の操作部１７をオペレータがつまんで押圧した場合に、操作部１７の変形状態を一定とすることができ、検体の採取量がほぼ一定となるようにされている。
目盛部１８は、検体の最小吸入量の目安を示す下限指示目盛部１８Lと、検体の最大吸入量の目安を示す上限指示目盛部１８Ｈと、を備えており、下限指示目盛部１８Ｌおよび上限指示目盛部１８Ｈで示される範囲内に、液体の液面が収まれば、所定量（例えば、１０マイクロリットル）の液体が吸入されたと判別することができるようになっている。
【０００９】
図４は、第１実施形態の液体採取時の操作説明図である。
次に液体採取時の操作について説明する。
この場合に、複数のスポイト１０は、滅菌され、図示しない収納部材に把持部１２を容易につまんで取り出すことが可能な状態で収納、保持されている。
そこで、オペレータは、図示しない収納部材に収納されているスポイト１０の把持部１２をつまむことにより取り出す。
続いてオペレータは、図４に破線で示すように、親指と人差し指とで操作部１７をつまむ。
そして、操作部１７を押圧して、変形させ、図４に実線で示すように、各指がベースプレートに当接するまで押し込む。
【００１０】
この状態で、試験管（容器）ＴＴ内に収納されている検体となる血液などの液体Ｌ中に、少なくとも注出口１５が採取操作中は、ずっと浸されているように差し込み、指による押圧力を徐々に弱くすると、操作部１７の形状復元性により徐々に操作部１７が元の形状に戻る。
これにより、注出口１５から検体である液体がスポイト本体１１の液体収納部１６内に吸引され、収納されることとなる。本実施形態によれば、この状態で、収納された液体Ｌの量は適正範囲内となっているはずであるが、吸引が終了した段階で、オペレータは、念のため、収納された液体Ｌの量が適正であるかを確認することとなる。
すなわち、スポイト本体１１の液体収納部１６内の液体Ｌの液面ＬＳが、目盛部１８を構成する下限指示目盛部１８Ｌと上限指示目盛部１８Ｈとの間に位置しているか否かを確認する。
【００１１】
図５は、収納した液体の量の確認の説明図である。
そして、オペレータは、図５（Ａ）に示すように、スポイト本体１１の液体収納部１６内に採取した液体の液面が下限指示目盛部１８Ｌと、上限指示目盛部１８Ｈとの間に位置している場合には、採取した液体の量が適正範囲内であると判別する。
また、オペレータは、図５（Ｂ）に示すように、スポイト本体１１の液体収納部１６内に採取した液体Ｌの液面ＬＳが下限指示目盛部１８Ｌより下側にある場合には、吸入量不足として、再度採取を行い、収納された液体Ｌの量が適正であるかを再度確認することとなる。
また、オペレータは、図５（Ｃ）に示すように、スポイト本体１１の液体収納部１６内に採取した液体Ｌの液面ＬＳが上限指示目盛部１８Ｈより上側にある場合には、吸入量過多として、操作部１７を加減しながら押圧して、注出口１５から液体を注出し、再度液体の量が適正範囲内であるかを確認することとなる。
以上の説明のように、本第１実施形態によれば、簡易な構成にもかかわらず、簡易な操作で、所定量（適正量）の液体（検体）を採取できる。
【００１２】
［２］第２実施形態
上記第１実施形態では、オペレータが操作部１７を持つ位置については、特に規制されているわけではないので、一定量の液体を採取するための操作を行うには、ある程度の慣れが必要であった。これに対し、本第２実施形態は、オペレータが操作部１７を持つ位置を規制することにより、常に一定の操作状態を実現するためのものである。
図６は、第２実施形態のスポイトの外観斜視図である。
図７は、第２実施形態のスポイトの正面図である。
図８は、第２実施形態のスポイトの側面図である。
図６ないし図８において、第１実施形態と同様の部分については、同一の符号を付すものとする。
【００１３】
第２実施形態のスポイト１０Ａは、大別すると、検体としての液体を収納するスポイト本体１１と、スポイト１０Ａの取り扱いを容易にするための把持部１２と、オペレータの指の位置を所定位置に規制するための指位置規制部３１と、を備えている。
スポイト本体１１は、液体が導入されるととともに、採取した液体を注ぎ出すための注出口１５と、採取した液体を収納するための液体収納部１６と、液体を採取するためにオペレータが操作を行う操作部１７と、採取量範囲をオペレータに視認させるための目盛部１８と、を備えている。
把持部１２は、操作規制部として機能するベースプレート部２０と、オペレータが当該把持部１２をつまんだ際に滑らないようにするためにベースプレート部２０から複数突設された滑り止め部２１と、を備えている。
ベースプレート部２０の先端側には、指位置規制部３１が設けられており、オペレータは、指先を指位置規制部３１に押し当てるようにして、スポイト本体１１の操作部１７を把持することとなる。
【００１４】
図９は、第２実施形態の液体採取時の操作説明図である。
次に液体採取時の操作について説明する。
まず、オペレータは、図９に破線で示すように、親指と人差し指とを、指位置規制部３１に当接させた状態で操作部１７をつまむ。
そして、操作部１７を押圧して、変形させ、図９に実線で示すように、各指がベースプレート部２０に当接するまで押し込む。
この状態で、試験管（容器）ＴＴ内に収納されている検体となる血液などの液体Ｌ中に、少なくとも注出口１５が採取操作中は、ずっと浸されているように差し込み、指による押圧力を徐々に弱くすると、操作部１７の形状復元性により徐々に操作部１７が元の形状に戻る。
【００１５】
これにより、注出口１５から検体である液体がスポイト本体１１の液体収納部１６内に吸引され、収納されることとなる。
したがって、オペレータは、第１実施形態と同様の方法で、収納された液体Ｌの量が適正であるかを確認することとなる。
以上の説明のように本第２実施形態によれば、簡易な構成にもかかわらず、熟練を要することなく、簡易な操作で、所定量（適正量）の液体（検体）を採取できる。
【００１６】
［３］実施形態の変形例
以上の実施形態においては、ベースプレート部２０に突設された滑り止め部２１を設けていたが、表面をざらつかせるなどして、滑りにくくすれば、必ずしも滑り止め部２１の形状に限定されるものではない。さらには、ベースプレート部２０の材質によっては、滑り止め部２１を設ける必要もない。
【００１７】
また、ベースプレート部２０は、操作部の操作量を規制することができるものであれば、形状、厚さ、固さなどは任意に設定することが可能である。
また、目盛部１８として、下限指示目盛部１８Ｌおよび上限指示目盛部１８Ｈの二つを設けていたが、使用目的に応じ、いずれか一方のみを設ける構成、あるいは、三つ以上の指示目盛部を設けるように構成することも可能である。
【００１８】
また、上記第２実施形態において、指位置規制部３１は、ベースプレート部２０に対し、垂直な方向にまっすぐに延びた平面を有する形状としていたが、指の形状に合わせて丸みを持たせたり、棒状としたりすることも可能である。
【図面の簡単な説明】
【００１９】
【図１】第１実施形態のスポイトの外観斜視図である。
【図２】第１実施形態のスポイトの正面図である。
【図３】第１実施形態のスポイトの側面図である。
【図４】第１実施形態の液体採取時の操作説明図である。
【図５】収納した液体の量の確認の説明図である。
【図６】第２実施形態のスポイトの外観斜視図である。
【図７】第２実施形態のスポイトの正面図である。
【図８】第２実施形態のスポイトの側面図である。
【図９】第２実施形態の液体採取時の操作説明図である。
【符号の説明】
【００２０】
１０、１０Ａ…スポイト、１１…スポイト本体、１２…把持部、１５…注出口、１６…液体収納部、１７…操作部、１８…目盛部、１８Ｈ…上限指示目盛部、１８Ｌ…下限指示目盛部、２０…ベースプレート部、３１…指位置規制部、Ｌ…液体、ＬＳ…液面。
【図１】
2008002845.tif 000003
【図２】
2008002845.tif 000004
【図３】
2008002845.tif 000005
【図４】
2008002845.tif 000006
【図５】
2008002845.tif 000007
【図６】
2008002845.tif 000008
【図７】
2008002845.tif 000009
【図８】
2008002845.tif 000010
【図９】
2008002845.tif 000011